(57)【特許請求の範囲】
【請求項１】
ＦＰＣ叉はＦＦＣが挿入される開口側の、コネクタの端子ブロックの各コンタクト間に突起を設けるとともに、スライダを前記コネクタの端子ブロックのＦＰＣ叉はＦＦＣが挿入される開口のコンタクトとの接触部と反対側に取付け、スライダのスライド方向と平行な左右側面に、それぞれ案内突子を植設するとともに、前記スライダ側面と対向する端子ブロックの側面にＬ字状の案内溝孔を形成し、この案内溝孔の端部は、端子ブロックの前記突起が列設されていない側の外面に開口するように配置し、スライダの案内突子を端子ブロックの案内溝孔に挿入した後に、コンタクトを端子ブロックに挿入することにより、スライダを端子ブロックに回動自在に連結し、その後スライダの案内突子を軸にして端子ブロックに対して旋回させ、スライダの内角部が端子ブロックの案内溝孔の端部に当接し、それと同時にスライダがＦＰＣ叉はＦＦＣの端子ブロック内への挿入方向に移動し、スライダの端部が端子ブロックの案内溝孔の端部に当接してスライダの移動が終了するように構成し、前記端子ブロックにＦＰＣ叉はＦＦＣを挿入した後に、前記スライダを旋回させ、かつ、移動させることによってＦＰＣ叉はＦＦＣを前記コンタクトに押圧させ、前記突起がＦＰＣ叉はＦＦＣのパターン間の凹部に入ることにより、コネクタのコンタクトとＦＰＣ叉はＦＦＣのパターンとの位置合わせを確実に行うようにした、電気コネクタ。
【請求項２】
スライダのスライド方向と平行な側面に、それぞれ複数本の案内突子を植設するとともに、前記スライダ側面と対向する端子ブロックの内側面に枝分れ状の案内溝孔を形成し、この案内溝孔の端部は、端子ブロックの前記突起が列設されていない側の外面に開口するように配置した、請求項１に記載の電気コネクタ。
【請求項３】
スライダのスライド方向と平行な側面に、それぞれ第１及び第２案内突子を植設し、前記第１案内突子が前記案内溝孔の中奥部に当接した後に、前記スライダを第１案内突子を軸にして端子ブロックに対して旋回させ、前記第２案内突子が枝分れ状溝孔の開口部分から該溝孔の枝分れした部分に入りこみその後スライダを、前記第１案内突子が前記案内溝孔の最奥部に達するまで前進させ、前記第１案内突子が前記案内溝孔の最奥部に達し且つ前記第２案内突子が枝分れ状溝孔の最奥部に当接した時に、前記スライダの端子ブロックに対する移動が終わり、スライダは端子ブロックに対しその位置で係止されるようにし、その間に端子ブロックの各コンタクト間に列設された突起が、スライダのＦＰＣ叉はＦＦＣのパターン間の凹部に入るようにした，請求項２に記載の電気コネクタ。
【発明の詳細な説明】
【０００１】
【発明の属する技術分野】
この発明は、電気、電子機器内の回路基板に取付けられる電気コネクタに関し、特にフレキシブルプリント基板（以下ＦＰＣという）あるいはフレキシブルフラットケーブル（以下ＦＦＣという）を差し込んで電気接続するコネクタに関する。
【０００２】
【従来の技術】
近年、電気、電子機器が小型化されるにつれ、コネクタの小型化が進んでいる。コネクタが小型化すると、コンタクトピッチ（接触子）が狭小化することになり、ひいてはコネクタに挿入されるＦＰＣ叉はＦＦＣのパターンが狭くなる。従来、このタイプのコネクタは、コネクタにＦＰＣ叉はＦＦＣを無理に挿入することもあるが、一般的にはゼロインサーションフォース（ＺＩＦ）構造を取っていることが多い。即ち、コンタクトが固定されたブロックにＦＰＣ叉はＦＦＣを挿入した後に、別部品のスライダでＦＰＣ叉はＦＦＣをコンタクトに押しつける構造を取っている。また、コネクタのコンタクトとＦＰＣ叉はＦＦＣのパターンとの位置合わせは、ＦＰＣ叉はＦＦＣの外形とコネクタの嵌合口の内側寸法で行っていた。
【０００３】
【発明が解決しようとする課題】
しかしながら、上記のような従来法による位置合わせでは、ＦＰＣ叉はＦＦＣのパターン間寸法の公差が累積することによって、コンタクトの脱落や接触不良や、ショートなどが発生する。また電気、電子機器が小型化し、コネクタの小型化が進んでくると、従来のような構成のコネクタでは、ＦＰＣ叉はＦＦＣを挿入しにくかった。
【０００４】
【課題を解決するための手段】
この発明は、ＦＰＣ叉はＦＦＣが挿入される開口側の、コネクタの端子ブロックの各コンタクト間に突起を設けるとともに、スライダを前記コネクタの端子ブロックのＦＰＣ叉はＦＦＣが挿入される開口のコンタクトとの接触部と反対側に取付け、スライダのスライド方向と平行な左右側面に、それぞれ案内突子を植設するとともに、前記スライダ側面と対向する端子ブロックの側面にＬ字状の案内溝孔を形成し、この案内溝孔の端部は、端子ブロックの前記突起が列設されていない側の外面に開口するように配置し、スライダの案内突子を端子ブロックの案内溝孔に挿入した後に、コンタクトを端子ブロックに挿入することにより、スライダを端子ブロックに回動自在に連結し、その後スライダの案内突子を軸にして端子ブロックに対して旋回させ、スライダの内角部が端子ブロックの案内溝孔の端部に当接し、それと同時にスライダがＦＰＣ叉はＦＦＣの端子ブロック内への挿入方向に移動し、スライダの端部が端子ブロックの案内溝孔の端部に当接してスライダの移動が終了するように構成し、前記端子ブロックにＦＰＣ叉はＦＦＣを挿入した後に、前記スライダを旋回させ、かつ、移動させることによってＦＰＣ叉はＦＦＣを前記コンタクトに押圧させ、前記突起がＦＰＣ叉はＦＦＣのパターン間の凹部に入ることにより、コネクタのコンタクトとＦＰＣ叉はＦＦＣのパターンとの位置合わせを確実に行うようにしたものである。
【０００５】
この発明では、端子ブロックに対して旋回しながら係合されるスライダ叉は端子ブロックに予めＦＰＣ叉はＦＦＣを挿入した後に、前記スライダを前記コネクタの端子ブロックに挿入して、前記スライダを旋回させ且つ前進させることによリ、ＦＰＣ叉はＦＦＣを前記コンタクトに押しつける際に、前記突起が、ＦＰＣ叉はＦＦＣのパターン間の凹部に入ることにより、コネクタのコンタクトとＦＰＣ叉はＦＦＣのパターンとの位置合わせを確実に行うようにする。このため、コネクタの端子ブロックの開口内部のコンタクト間に設けた突起を、開口部の途中から奥部にかけて形成するとともに、スライダのスライド方向と平行な側面にそれぞれ１本乃至複数本の案内突子を植設し、前記スライダ側面と対向する端子ブロックの内側面にＬ字状または枝分れ状の案内溝孔を形成し、その溝孔の端部は端子ブロックの、前記突起が列設されていない側の外面に開口するように配置する。このように案内溝孔を形成することによって、スライダは後述するように旋回しつつ前進して、ＦＰＣ叉はＦＦＣを、支障無く端子ブロック内の正しい位置に固定し接続させることが出来る。
【０００６】
この発明の電気コネクタの端子ブロックは、各コンタクト間に突起が形成されているので、ブロック内のコネクタのコンタクトとＦＰＣ叉はＦＦＣのパターンとの位置合わせが確実に行われる。特に端子ブロックにスライダを装着したものは、まずスライダの案内突子を端子ブロックの案内溝孔に挿入した後に、コンタクトを端子ブロックに挿入することにより、スライダを端子ブロックに回動自在に連結し、その後スライダを案内突子を軸にして端子ブロックに対して旋回させていくと、スライダの内角部が端子ブロックの案内溝孔の端部に当接し、それと同時にスライダがＦＰＣ叉はＦＦＣの端子ブロック内への挿入方向に移動し、スライダの端部が端子ブロックの案内溝孔の端部に当接してスライダの移動が終了するように構成している。
【０００７】
また、スライダのスライド方向と平行な側面に、それぞれ複数本の案内突子を植設するとともに、前記スライダ側面と対向する端子ブロックの内側面に枝分れ状の案内溝孔を形成したものは、前記案内突子の１本すなわち第一案内素子が前記案内溝孔の中奥部に当接した後に、前記スライダを第１案内突子を軸にして端子ブロックに対して旋回させ、他の案内突子すなわち第２案内素子が開口より枝分れ状溝孔に挿入された後に、この溝孔の開口部分から該溝孔の中間の枝分かれした部分に来るようにする。その後スライダを端子ブロックに対し、前記第１案内突子が前記案内溝孔の最奥部に達するまで前進させ、前記第１案内突子が前記案内溝孔の最奥部に達し且つ前記第２案内突子が枝分れ状溝孔の最奥部に当接した時に、前記スライダの端子ブロックに対する移動が終わり、スライダは端子ブロックに対しその位置で係止されるようにし、その間に端子ブロックの各コンタクト間に列設された突起が、スライダのＦＰＣ叉はＦＦＣのパターン間の凹部に入ることにより、コネクタのコンタクトとＦＰＣ叉はＦＦＣのパターンとの位置合わせが確実に行なわれる。そうして前記第１案内突子が前記案内溝孔の最奥部に達し且つ前記第２案内突子が前記溝孔の枝分かれした部分の最奥部に達した時、スライダの端子ブロックに対する旋回が終わり、前記夫々の案内突子が溝孔の各最奥部に係止されることによって、スライダは端子ブロックのコンタクトの長手方向と略平行な位置に安定的に保持され、コネクタのコンタクトとＦＰＣ叉はＦＦＣは、確実に正しい位置で接続される。
【０００８】
【発明の実施の態様】
この発明の電気コネクタの一実施例を図１乃至図５に示す。図１は電気コネクタの端子ブロック１，コンタクト２、スライダ３及び係止保持具４を夫々組立てる前の展開した状態を示す。図では端子ブロック１の内部が良く分るように，端子ブロック１及びスライダ３は中央で切断され，図面に向かって右半分のみが示され、また端子ブロックに挿入されるＦＰＣ叉はＦＦＣは省略されている。係止保持具４はコネクタの端子ブロック１を基板（図示せず）に取付け固定させるために用いる。
【０００９】
端子ブロック１はコンタクト２を、一定間隔を置いて列設するための挿入溝孔５を所定数一体成形するとともに、ＦＰＣ叉はＦＦＣが挿入される開口側の、前記挿入溝孔５の中間の稜線部に、突起６を，所定間隔で列設する。図１では突起６はコンタクトの挿入溝孔５の三列おきに設けられているが、この配列は必要に応じて増減することが出来る。コンタクト２は一端（図１では左端）が短く形成されているコンタクト片２ａと、長く鍵状に形成されているコンタクト片２ｂとが一対になり、この一対が単位となって必要数横向きに一定間隔を置いて列設されている。また各コンタクト片2ａ、２ｂの他端（図１では右端）はコ字状に形成される。コンタクト２が端子ブロック１に挿入される時には、各コンタクト片２ａ、２ｂの他端は、図示するように挿入溝孔５により整列され、ＦＰＣ叉はＦＦＣの接続端部を挿入する際の開口部を形成している。
【００１０】
スライダ３はそのスライド方向と平行な左右側面に、それぞれ案内突子７を植設するとともに、このスライダ側面と対向する端子ブロック１の内側面にＬ字状の案内溝孔８を形成し、この案内溝孔８の端部は、端子ブロック１の前記突起６が列設されていない側の外面に開口するように配置されている。
【００１１】
図２は、スライダ３を端子ブロック１に対して縦方向から挿入し、このスライダ３の案内突子７を端子ブロック１の案内溝孔８に取付けた状態である。端子ブロック１の一端からコンタクト２を挿入配置し、また端子ブロック１の他端からＦＰＣ叉はＦＦＣを挿入したときに、前記突起６が、ＦＰＣ叉はＦＦＣのパターン間の凹部に入ることにより、コネクタのコンタクトとＦＰＣ叉はＦＦＣのパターンとの位置合わせを確実に行う。この後図２から図３に示す状態にスライダ３を移動させて、ＦＰＣ叉はＦＦＣを端子ブロック１内に保持する。図３はスライダ３を案内突子７を中心軸として旋回させた後内方にスライドさせて、ＦＰＣ叉はＦＦＣを端子ブロック１内に保持する状態を示す。この一連の動作を端子ブロック１の側面から見た図を図４の（イ）、（ロ）、（ハ）及び（二）に、端子ブロック１の断面で見た図を図５の（ホ）、（へ）、（ト）及び（チ）に示す。図４の（イ）、（ロ）、（ハ）及び（二）は夫々図５の（ホ）、（へ）、（ト）及び（チ）に対応している。スライダ３の内角部３ａが端子ブロック１の案内溝孔８の端部８ａに当接し、それと同時にスライダ３がＦＰＣ叉はＦＦＣの端子ブロック１内への挿入方向に移動し、スライダ３の先端部３ｂ端部が端子ブロック１の案内溝孔８の内端部８ｂに当接してスライダの移動が終了する。各コンタクト２の他端（図では右端）の、コ字状部の下側枝には上向きの突出片９が形成されており、スライダ３を端子ブロック１の開口の内側に向けてスライドさせる際に、スライダ３の下面１０が前記突出片９との間でＦＰＣ叉はＦＦＣの上下面を挟持し、コンタクト２とＦＰＣ叉はＦＦＣとの間の電気的接合を行わせる。
【００１２】
この発明の他の実施例を図６乃至図１１に示す。図６は端子ブロック１１にコンタクト１２及びスライダ１３を組み込んだ状態の正面図、図７はその平面図，図８は図６のＡ−Ａ断面図，図９は図６のＢ−Ｂ断面図である。
【００１３】
スライダ１３は挿入開口１４にＦＰＣ叉はＦＦＣの接続端部を挿入した後で，端子ブロック１１のコンタクト１２に接触させるようにした点が第1実施例のものと異なっている。端子ブロック１１には、コンタクト１２を、一定間隔を置いて列設するための挿入溝孔１５を所定数一体成形するとともに、ＦＰＣ叉はＦＦＣが挿入開口１４側の、前記挿入溝孔１５の中間の稜線部に、突起１６を、所定間隔（この実施例では稜線1つおき）で設ける。スライダ１３のスライド方向と平行な側面に、それぞれ２本の案内突子１７を植設するとともに、前記スライダ１３側面と対向する端子ブロック１１の内側面に枝分れ状の案内溝孔１８を形成し、この案内溝孔１８の端部は、図8に示すように、端子ブロックの前記突起が列設されていない側の外面に開口する。
【００１４】
スライダ１３が端子ブロック１１へ挿入され、係止される一連の動作を端子ブロック１の側面から見た図を図１０の（イ）、（ロ）、（ハ）、（二）、（ホ）及び（へ）に、端子ブロック１１の断面で見た図を図１１の（ト）、（チ）、（リ）、（ヌ）、（ル）及び（ヲ）に示す。図１０の（イ）、（ロ）、（ハ）、（二）、（ホ）及び（へ）は夫々図１１の（ト）、（チ）、（リ）、（ヌ）、（ル）及び（ヲ）に対応している。第1案内突子１７ａは案内溝孔１８の開口から端子ブロック１１に挿入され、溝孔１８の中奥部１８ａに当接した（図１０の（イ））後に、前記スライダを第１案内突子１７ａを軸にして端子ブロックに対して旋回させ、第２案内突子１７ｂが端子ブロック１１の開口１９に達すると（図１０の（ロ））、スライダ１３が更に前進して、第１案内突子１７ａが溝孔１８の中奥部１８ａより奥に進むと共に第2案内突子１７ｂが溝孔１８の枝分かれ部１８ｂに達し（図１０の（ハ）、（二））、第１案内突子１７ａが更に前進して案内溝孔１８の最奥部１８ｃまで達し、第２案内突子１７ｂが枝分れ状溝孔１８ｂ内を進んだ時に、前記スライダの端子ブロックに対する前進が終わり（図１０の（ホ））、スライダ１３は更に旋回して第２案内突子１７ｂが枝分れ状溝孔１８ｂの最奥部１８ｄに達し（図１０の（へ））、スライダ１３は端子ブロック１１に対しその位置で係止される。その間に端子ブロックの各コンタクト間の先端一側に列設された突出片９が形成されており、スライダ１３を端子ブロック１１の内奥側に向けてスライドさせる際に、スライダ１３の下面２０が前記突出片９との間でＦＰＣ叉はＦＦＣの上下面を狭持し、コンタクト２とＦＰＣ叉はＦＦＣとの間の電気的接合を行わせる。
【００１５】
上記一連の動作の間、挿入溝孔１５の中間の稜線部に設けた突起１６がスライダ１３の挟み込まれたＦＰＣ叉はＦＦＣのパターン間の凹部に入るようにし、その作用によってＦＰＣ叉はＦＦＣが端子ブロック１１に対し所定の位置に来るようにしている。
【００１６】
【発明の効果】
この発明の電気コネクタは以上のように構成したので、端子ブロックに列設した離間体の突起が、ＦＰＣ叉はＦＦＣのパターン間の凹部に入ることにより、コネクタのコンタクトとＦＰＣ叉はＦＦＣのパターンとの位置合わせを確実に行うとともに、スライダは端子ブロックのコンタクトの長手方向と略平行な位置に安定的に保持され、コネクタのコンタクトとＦＰＣ叉はＦＦＣは、確実に正しい位置で接続される。また，スライダを端子ブロックに対し旋回させ移動させる構成にしたことにより、狭いスペースでも容易且つ確実にＦＰＣ叉はＦＦＣを端子ブロックに挿入し結線することが出来る。
【図面の簡単な説明】
【図１】  この発明の電気コネクタの一実施例において、コンタクト、端子ブロック及びスライダを夫々展開した状態の見取り図を示す。
【図２】  図１に示す、コンタクトの端子ブロックにスライダを取りつけ、ブロックの開口は開いている状態の見取り図を示す。
【図３】  図１のコンタクトの端子ブロックにスライダを取りつけ、ブロックの開口は閉じている状態の見取り図を示す。
【図４】  端子ブロックの内側面に設けた案内溝孔に、スライダの案内突子を挿入し，スライダを前進させ、端子ブロックに係止する状態を（イ）、（ロ）、（ハ）及び（二）に示す。
【図５】  図４の動作に応じてスライダとコンタクトとがＦＰＣ叉はＦＦＣを挟み結線する過程を(ホ)〜(チ)に模式的に示す。
【図６】  この発明の電気コネクタの他の実施例において、端子ブロックに組み込んだスライダの正面図である。
【図７】  図６の端子ブロックに組み込んだスライダの平面図である。
【図８】  図６のＡ−Ａ断面図，
【図９】  図６のＢ−Ｂ断面図である。
【図１０】  スライダが端子ブロックへ挿入され、係止される一連の動作を端子ブロックの側面から見たものを（イ）、（ロ）、（ハ）、（二）、（ホ）及び（へ）に示す。
【図１１】  図全ｋ１０の一連の動作を端子ブロックの断面で見たものを（ト）、（チ）、（リ）、（ヌ）、（ル）及び（ヲ）に示す。
【符号の説明】
１  端子ブロック
２  コンタクト
２ａ、２ｂ  コンタクト片
３  スライダ
３ａ  内角部
３ｂ  先端部
４  係止保持具
５  挿入溝孔
６  突起
７  案内突子
８  案内溝孔
８ａ  端部
８ｂ  内端部
９  突出片
１０  下面
１１  端子ブロック
１２  コンタクト
１３  スライダ
１４  挿入開口
１５  挿入溝孔
１６  突起
１７  案内突子
１７ａ  第１案内突子
１７ｂ  第２案内突子
１８  案内溝孔
１８ａ  中奥部
１８ｂ  枝分かれ部
１８ｃ  最奥部
１８ｄ 枝分れ部の最奥部
１９  開口
２０  下面
【図１】
0004376414.tif 000002
【図２】
0004376414.tif 000003
【図３】
0004376414.tif 000004
【図４】
0004376414.tif 000005
【図５】
0004376414.tif 000006
【図６】
0004376414.tif 000007
【図７】
0004376414.tif 000008
【図８】
0004376414.tif 000009
【図９】
0004376414.tif 000010
【図１０】
0004376414.tif 000011
【図１１】
0004376414.tif 000012